(57)【要約】  アナログ変調とディジタル変調された被変調波を復調し、アナログ変調された被変調波成分を復調している際、受信品質が良好となると、自動的にディジタル変調された被変調波成分の復調処理に切り替えることを目的とする。  ＩＦフィルタ１，２によって、被変調波信号Ｓinからアナログ変調された被変調波成分とディジタル変調された被変調波成分を抽出し、その抽出成分を周波数シフタ部３と合成部４で、周波数シフトして合成することで合成被変調波信号Ｓhdaaを生成し、アナログディジタル変換器５で合成被変調波データＤhdaaに変換する。バンドパスフィルタ６が合成被変調波データＤhdaaから、ディジタル変調された被変調波成分に相当するデータＤｄを抽出して、ディジタル放送復調部８が復調し、バンドパスフィルタ７が合成被変調波データＤhdaaから、アナログ変調された被変調波成分に相当するデータＤａを抽出して、アナログ放送復調部９が復調する。ディジタル放送復調部８で検出される誤り検出信号ERRに基づいて受信品質判定部１０が受信品質の良否を判定し、受信品質が良好のときにはディジタル放送の復調信号ＭＤdを切替部１１を介して出力させ、悪化したときにはアナログ放送の復調信号ＭＤaを切替部１１を介して出力させる。
2007066551.tif 000002
【特許請求の範囲】
【請求項１】
アナログ変調された被変調波成分とディジタル変調された被変調波成分とを有する被変調波を復調する受信装置であって、
前記被変調波信号から、前記アナログ変調された被変調波成分を抽出すると共に、前記被変調波信号から、前記アナログ変調された被変調波成分とディジタル変調された被変調波成分とを全被変調波成分として抽出するフィルタ手段と、
前記フィルタ手段で抽出された前記アナログ変調された被変調波成分又は前記全被変調波成分の少なくとも一方を周波数シフトし、互いに重ならない周波数域へ偏倚させる周波数シフタ手段と、
前記互いに重ならない周波数域へ偏倚された前記アナログ変調された被変調波成分と前記全被変調波成分を合成して、合成被変調波信号を生成する合成手段と、
前記合成被変調波信号を合成被変調波データにアナログディジタル変換するアナログディジタル変換器と、
前記合成被変調波データから、前記ディジタル変調された被変調波成分に相当するデータを抽出すると共に、前記合成被変調波データから、前記前記アナログ変調された被変調波成分に相当するデータを抽出するバンドパスフィルタ手段と、
前記バンドパスフィルタ手段で抽出される前記ディジタル変調された被変調波成分に相当するデータを復調処理するディジタル放送復調手段と、
前記バンドパスフィルタ手段で抽出される前記アナログ変調された被変調波成分に相当するデータを復調処理するアナログ放送復調手段と、
前記ディジタル放送復調手段の復調処理に際して検出される誤り検出信号に基づいて、前記ディジタル放送の受信品質の良否を判定する受信品質判定手段とを備え、
前記受信品質判定手段は、前記ディジタル放送の受信品質が悪化した判定すると、前記アナログ放送復調手段で復調される復調信号を出力させ、前記ディジタル放送の受信品質が良好と判定すると、前記ディジタル放送復調手段で復調される復調信号を出力させること、
を特徴とする受信装置。
【請求項２】
前記アナログディジタル変換器は、ノイズシェーピング特性を発揮するデルタシグマアナログディジタル変換器であることを特徴とする請求項１に記載の受信装置。
【請求項３】
アナログ変調された被変調波成分とディジタル変調された被変調波成分とを有する被変調波を復調する復調方法であって、
前記被変調波信号から、前記アナログ変調された被変調波成分を抽出すると共に、前記被変調波信号から、前記アナログ変調された被変調波成分とディジタル変調された被変調波成分とを全被変調波成分として抽出するフィルタ工程と、
前記フィルタ工程で抽出された前記アナログ変調された被変調波成分又は前記全被変調波成分の少なくとも一方を周波数シフトし、互いに重ならない周波数域へ偏倚させる周波数シフタ工程と、
前記互いに重ならない周波数域へ偏倚された前記アナログ変調された被変調波成分と前記全被変調波成分を合成して、合成被変調波信号を生成する合成工程と、
前記合成被変調波信号を合成被変調波データにアナログディジタル変換するアナログディジタル変換工程と、
前記合成被変調波データから、前記ディジタル変調された被変調波成分に相当するデータを抽出すると共に、前記合成被変調波データから、前記前記アナログ変調された被変調波成分に相当するデータを抽出するバンドパスフィルタ工程と、
前記バンドパスフィルタ工程で抽出される前記ディジタル変調された被変調波成分に相当するデータを復調処理するディジタル放送復調工程と、
前記バンドパスフィルタ工程で抽出される前記アナログ変調された被変調波成分に相当するデータを復調処理するアナログ放送復調工程と、
前記ディジタル放送復調工程における復調処理に際して検出される誤り検出信号に基づいて、前記ディジタル放送の受信品質の良否を判定する受信品質判定工程とを備え、
前記受信品質判定工程では、前記ディジタル放送の受信品質が悪化した判定すると、前記アナログ放送復調工程で復調される復調信号を出力させ、前記ディジタル放送の受信品質が良好と判定すると、前記ディジタル放送復調工程で復調される復調信号を出力させること、
を特徴とする復調方法。
【発明の詳細な説明】
【技術分野】
【０００１】
本発明は、アナログ変調された被変調波成分とディジタル変調された被変調波成分とを有する被変調波を復調する受信装置とその復調方法に関する。
【背景技術】
【０００２】
近年、情報のマルチメディア化等の進展に伴い、各種方式のディジタル放送が開始又は開始準備の段階となっている。【０００３】
一例として、米国のＩＢＯＣ（In Band On Channel）ディジタルラジオ放送では、図１（ａ）に模式的に示すように、既存のアナログラジオ放送用に割り当てられた放送チャンネル周波数帯域ＢＡの両側にディジタルラジオ放送用の所定周波数帯域を設定し、アナログラジオ放送番組の被変調波成分とディジタルラジオ放送番組の被変調波成分とをキャリアに乗せて放送することが提案されている（特許文献１参照）。【０００４】
この放送方式によると、既存のアナログラジオ放送の伝送周波数帯域をそのまま利用して、アナログラジオ放送とディジタルラジオ放送を行うことができるため、伝送周波数の有効利用を図ることができ、また、品質の良いディジタルラジオ放送をユーザーに提供することができるとされている。【０００５】
しかし、図１（ａ）から明らかなとおり、周波数帯域ＢＡの両側に割り当てられるディジタルラジオ放送用の周波数帯域は、隣接する放送チャンネル周波数帯域内に設定されることから、その隣接放送チャンネルの電波が妨害波となって侵入し、ディジタルラジオ放送を受信中に隣接妨害を受ける場合がある。また、ディジタルラジオ放送では、フェージング等に対して強い誤り訂正能力を発揮する伝送路符号化方式が用いられるが、到来電波の状況等がその誤り訂正能力を超えて悪化し、いわゆる受信品質の悪化を招くと、アナログラジオ放送の受信品質よりも悪化する。【０００６】
そこで、ディジタルラジオ放送を受信中に隣接妨害を受けたり、到来電波の状況等が悪化して、受信品質が悪化すると、アナログラジオ放送の受信に切替える機能を備えた受信装置が提案されている。【０００７】
図１（ｄ）は、その受信装置の構成を表したブロック図であり、図示しないフロントエンド部で中間周波数に周波数変換（ダウンコンバート）されたＩＦ信号を入力するＩＦフィルタと、ディジタル放送用の復調器（ディジタル放送復調器）と、アナログ放送用の復調器（アナログ放送復調器）と、受信品質判定部、切替部を有して構成されている。【０００８】
ＩＦフィルタは、受信品質判定部からの切替え制御信号ＣＮＴaに従って、ＩＦ信号に対する通過帯域幅を切り替える可変バンドパスフィルタで形成されており、図１（ｂ）に示すように、アナログラジオ放送とディジタルラジオ放送の両者の被変調波成分を通過させる広帯域幅と、図１（ｃ）に示すように、アナログラジオ放送の被変調波成分だけを通過させる狭帯域幅との切り替えを行うようになっている。【０００９】
ディジタル放送復調器は、ＩＦフィルタが広帯域幅に切り替わってディジタルラジオ放送の被変調波成分が入力されると、その放送方式に準拠した復調を行うことで、ディジタルラジオ放送番組の復調信号を生成し、切替部を介して出力する。【００１０】
また、ディジタル放送復調器は、復調処理に際して誤り訂正の処理を行い、処理中の信号から受信品質の良否の程度を表す誤り検出信号を生成する。例えば、ＯＦＤＭ（直交波周波数分割多重）方式等のディジタルラジオ放送の被変調波成分を復号、復調する際、符号誤り訂正処理を行って、受信品質の良否の程度を表すビットエラーレート（Bit Error Rate）ＢＥＲを検出し、誤り検出信号として出力する。【００１１】
アナログ放送復調器は、ＩＦフィルタが狭帯域幅に切り替わってアナログラジオ放送の被変調波成分が入力されると、その放送方式に準拠した復調を行うことで、アナログラジオ放送番組の復調信号を生成し、切替部を介して出力する。【００１２】
切替部は、受信品質判定部からの切替え制御信号ＣＮＴbに従って切り替えを行い、ディジタル放送復調器の側に切り替わると、ディジタルラジオ放送番組の復調信号を転送して出力し、アナログ放送復調器の出力を遮断する。また、切替え制御信号ＣＮＴbに従ってアナログ放送復調器の側に切り替わると、アナログラジオ放送番組の復調信号を転送して出力し、ディジタルラジオ放送番組の復調信号を遮断する。【００１３】
受信品質判定部は、上述の誤り検出信号を入力し、ディジタルラジオ放送の受信品質が良好か否か判定する。そして、受信品質が良好であると判定すると、切替え制御信号ＣＮＴaによってＩＦフィルタを広帯域幅に維持し、且つ切替部をディジタル放送復調器側に継続して接続させることで、ディジタルラジオ放送番組の復調信号を出力させる。一方、受信品質が悪化したと判定すると、切替え制御信号ＣＮＴaによってＩＦフィルタを狭帯域幅に切り替えさせ、且つ切替部をアナログ放送復調器の側に切り替え接続させることで、アナログラジオ放送番組の復調信号を出力させる。【００１４】
このように、図１（ｄ）に示す従来の受信装置では、ディジタルラジオ放送を受信中に受信品質が悪化すると、アナログラジオ放送番組の復調信号に切り替えて出力することで、ディジタルラジオ放送の本来の品質よりは低下するものの、アナログラジオ放送番組を受聴等できるようにしている。【００１５】
【特許文献１】特表２００２−５２９９５５号公報
【発明の開示】
【発明が解決しようとする課題】
【００１６】
ところが、図１（ｄ）に示した上記従来の受信装置では、受信品質が悪化して、ディジタルラジオ放送からアナログラジオ放送の復調処理へと切り替わると、ＩＦフィルタが狭帯域幅に切り替わるため、ディジタルラジオ放送の被変調波成分がディジタル放送復調器に供給されなくなり、ビットエラーレートＢＥＲ等の誤り検出ができなくなる。このため、受信品質判定部では、受信品質が良好な状態に復帰したか否かの判定を行うことができず、受信品質が良好な状態に復帰していても、アナログ放送からディジタルラジオ放送の復調処理へと自動的に切り替えることができないという課題があった。【００１７】
そして、本来的に品質の良いディジタルラジオ放送番組を優先的に受聴したいと欲するユーザーにとっては、適当なときを見計らって、ディジタルラジオ放送番組を受聴できるように受信装置を手操作しなければならず、良好な操作性が得られない等の問題があった。【００１８】
本発明は、このような従来の問題に鑑みてなされたものであり、アナログ変調された被変調波成分とディジタル変調された被変調波成分とを有する被変調波を復調する受信装置であって、アナログ変調された被変調波成分を復調している際、受信品質が良好となると、自動的にディジタル変調された被変調波成分の復調処理に切り替わる受信装置と復調方法を提供することを目的とする。
【課題を解決するための手段】
【００１９】
請求項１に記載の発明は、アナログ変調された被変調波成分とディジタル変調された被変調波成分とを有する被変調波を復調する受信装置であって、前記被変調波信号から、前記アナログ変調された被変調波成分を抽出すると共に、前記被変調波信号から、前記アナログ変調された被変調波成分とディジタル変調された被変調波成分とを全被変調波成分として抽出するフィルタ手段と、前記フィルタ手段で抽出された前記アナログ変調された被変調波成分又は前記全被変調波成分の少なくとも一方を周波数シフトし、互いに重ならない周波数域へ偏倚させる周波数シフタ手段と、前記互いに重ならない周波数域へ偏倚された前記アナログ変調された被変調波成分と前記全被変調波成分を合成して、合成被変調波信号を生成する合成手段と、前記合成被変調波信号を合成被変調波データにアナログディジタル変換するアナログディジタル変換器と、前記合成被変調波データから、前記ディジタル変調された被変調波成分に相当するデータを抽出すると共に、前記合成被変調波データから、前記前記アナログ変調された被変調波成分に相当するデータを抽出するバンドパスフィルタ手段と、前記バンドパスフィルタ手段で抽出される前記ディジタル変調された被変調波成分に相当するデータを復調処理するディジタル放送復調手段と、前記バンドパスフィルタ手段で抽出される前記アナログ変調された被変調波成分に相当するデータを復調処理するアナログ放送復調手段と、前記ディジタル放送復調手段の復調処理に際して検出される誤り検出信号に基づいて、前記ディジタル放送の受信品質の良否を判定する受信品質判定手段とを備え、前記受信品質判定手段は、前記ディジタル放送の受信品質が悪化した判定すると、前記アナログ放送復調手段で復調される復調信号を出力させ、前記ディジタル放送の受信品質が良好と判定すると、前記ディジタル放送復調手段で復調される復調信号を出力させること、を特徴とする。【００２０】
請求項３に記載の発明は、アナログ変調された被変調波成分とディジタル変調された被変調波成分とを有する被変調波を復調する復調方法であって、前記被変調波信号から、前記アナログ変調された被変調波成分を抽出すると共に、前記被変調波信号から、前記アナログ変調された被変調波成分とディジタル変調された被変調波成分とを全被変調波成分として抽出するフィルタ工程と、前記フィルタ工程で抽出された前記アナログ変調された被変調波成分又は前記全被変調波成分の少なくとも一方を周波数シフトし、互いに重ならない周波数域へ偏倚させる周波数シフタ工程と、前記互いに重ならない周波数域へ偏倚された前記アナログ変調された被変調波成分と前記全被変調波成分を合成して、合成被変調波信号を生成する合成工程と、前記合成被変調波信号を合成被変調波データにアナログディジタル変換するアナログディジタル変換工程と、前記合成被変調波データから、前記ディジタル変調された被変調波成分に相当するデータを抽出すると共に、前記合成被変調波データから、前記前記アナログ変調された被変調波成分に相当するデータを抽出するバンドパスフィルタ工程と、前記バンドパスフィルタ工程で抽出される前記ディジタル変調された被変調波成分に相当するデータを復調処理するディジタル放送復調工程と、前記バンドパスフィルタ工程で抽出される前記アナログ変調された被変調波成分に相当するデータを復調処理するアナログ放送復調工程と、前記ディジタル放送復調工程における復調処理に際して検出される誤り検出信号に基づいて、前記ディジタル放送の受信品質の良否を判定する受信品質判定工程とを備え、前記受信品質判定工程では、前記ディジタル放送の受信品質が悪化した判定すると、前記アナログ放送復調工程で復調される復調信号を出力させ、前記ディジタル放送の受信品質が良好と判定すると、前記ディジタル放送復調工程で復調される復調信号を出力させること、を特徴とする。
【図面の簡単な説明】
【００２１】
【図１】従来のディジタルラジオ放送受信装置の構成及び機能を説明するための図である。
【図２】本発明の実施形態に係る受信装置の構成を表したブロック図である。
【図３】図２に示した受信装置の機能を説明するための説明図である。
【図４】実施例に係る受信装置の構成を表したブロック図である。
【発明を実施するための最良の形態】
【００２２】
本発明の好適な実施形態について、図２と図３を参照して説明する。図２（ａ）は、本実施形態の受信装置の構成を表したブロック図、図２（ｂ）は、本実施形態の変形例の構成を表したブロック図、図３（ａ）〜（ｄ）は、機能を説明するための説明図である。【００２３】
図２（ａ）において、本実施形態の受信装置は、上述したＩＢＯＣディジタルラジオ放送等の、アナログ変調された被変調波成分とディジタル変調された被変調波成分とを有する被変調波を復調する受信装置であり、図示しないフロントエンド部で生成される被変調波信号（ＩＦ信号）Ｓinを入力する第１，第２のＩＦフィルタ１，２と、周波数シフタ部３、合成部４、アナログディジタル変換器（ＡＤＣ）５、第１，第２のバンドパスフィルタ６，７、ディジタル放送用の復調部８、アナログ放送用の復調部９、受信品質判定部１０及び切替部１１を有して構成されている。【００２４】
第１のＩＦフィルタ１は、被変調波信号Ｓinに含まれているアナログ変調された被変調波成分（以下、「アナログ被変調波成分」と称する）Ｓａを通過させ、ディジタル変調された被変調波成分（以下、「ディジタル被変調波成分」と称する）の通過を阻止する、狭帯域幅ＢＮのバンドパスフィルタで形成されている。【００２５】
すなわち、第１のＩＦフィルタ１の通過帯域幅は、各放送チャンネルの周波数域が図３（ａ）に模式的に示すように、アナログ被変調波成分Ｓａの周波数帯域ＢＡとその両側のディジタル被変調波成分Ｓｄの周波数帯域とを有していることに対応させて、図３（ｂ）に示すように、中間周波数に周波数変換された被変調波信号Ｓinのアナログ被変調波成分Ｓａを通過させる周波数ｆ1からｆ2までの狭帯域幅ＢＮに設定されている。【００２６】
第２のＩＦフィルタ２は、中間周波数に周波数変換された被変調波信号Ｓinのアナログ被変調波成分Ｓａとディジタル被変調波成分Ｓｄとを通過させる広帯域幅ＢＷのバンドパスフィルタで形成されている。すなわち、図３（ｃ）に模式的に示すように、第２のＩＦフィルタ２の広帯域幅ＢＷが、周波数ｆ3からｆ4までの周波数範囲に設定されており、アナログ被変調波成分Ｓａとディジタル被変調波成分Ｓｄとの両者の被変調波成分（以下、「全被変調波成分」と称する）Ｓdaを通過させる。【００２７】
周波数シフタ部３は、全被変調波成分Ｓdaを所定の周波数ｆrだけ周波数シフトし、偏倚被変調波成分Ｓhdaとして出力する。すなわち、全被変調波成分Ｓdaを上述のアナログ被変調波成分Ｓａと重ならない周波数域へ周波数シフトして出力する。【００２８】
合成部４は、第１のＩＦフィルタ１からのアナログ被変調波成分Ｓａと偏倚被変調波成分Ｓhdaとを合成し、図３（ｄ）に模式的に示すように、アナログ被変調波成分Ｓａと偏倚被変調波成分Ｓhdaとが異なる周波数域に位置することとなる合成被変調波信号Ｓhdaaを生成して出力する。【００２９】
ＡＤＣ５は、合成被変調波信号Ｓhdaaを合成被変調波データＤhdaaにアナログディジタル変換して出力する。【００３０】
第１のバンドパスフィルタは、図３（ｄ）に示した周波数（ｆ3−ｆr）から（ｆ1−ｆr）の周波数範囲と、周波数（ｆ2−ｆr）から（ｆ4−ｆr）の周波数範囲とを通過帯域幅とするディジタルバンドパスフィルタで形成されている。これにより、合成被変調波データＤhdaaから、ディジタル被変調波成分Ｓｄのデータ（以下、「ディジタル被変調波成分データ」と称する）Ｄｄを抽出して出力する。【００３１】
第２のバンドパスフィルタは、図３（ｄ）に示した周波数ｆ1からｆ2までの周波数範囲を通過帯域幅とするディジタルバンドパスフィルタで形成されている。これにより、合成被変調波データＤhdaaから、アナログ被変調波成分Ｓａのデータ（以下、「アナログ被変調波成分データ」と称する）Ｄａを抽出して出力する。【００３２】
ディジタル放送復調部８は、ディジタル被変調波成分データＤdを入力し、受信中の放送の放送方式に準拠した復調処理（ディジタル信号処理）を施すことで、ディジタル放送番組の復調データＤＭｄを再生して出力する。更に、ディジタル放送復調部８では、復調処理に際して誤り訂正の処理を行い、処理中のデータから受信品質の良否の程度を表す誤り検出データＥＲＲを生成する。例えば、ＯＦＤＭ方式等のディジタルラジオ放送を受信中の場合には、符号誤り訂正処理を行って、受信品質の良否の程度を表すビットエラーレート（ＢＥＲ）を検出し、誤り検出データＥＲＲとして出力する。【００３３】
アナログ放送復調部９は、アナログ被変調波成分データＤａを入力し、受信中の放送の放送方式に準拠した復調処理（ディジタル信号処理）を施すことで、アナログ放送番組の復調データＤＭａを再生して出力する。【００３４】
切替部１１は、受信品質判定部１０からの切替え制御信号ＳＷに従って切り替えを行い、ディジタル放送復調部８側の入力接点Ｘに切り替わると、ディジタルラジオ放送番組の復調データＤＭｄを転送して出力し、アナログ放送復調部９の出力を遮断する。また、切替え制御信号ＳＷに従ってアナログ放送復調部９側の入力接点Ｙに切り替わると、アナログラジオ放送番組の復調データＤＭａを転送して出力し、アナログ放送復調部９の出力を遮断する。このように、切替部１１は、切替え制御信号ＳＷの指示に従って、復調データＤＭｄ又はＤＭａを復調信号（ベースバンド信号）Ｄoutとして出力する。【００３５】
受信品質判定部１０は、上述の誤り検出データＥＲＲと所定の判定基準とを比較し、ディジタルラジオ放送の受信品質が良好か否か判定する。そして、受信品質が良好であると判定すると、切替え制御信号ＳＷによって切替部１１を制御し、入力接点Ｘに接続させる。また、受信品質が悪化したと判定すると、切替え制御信号ＳＷによって切替部１１を制御し、切替え制御信号ＳＷによって切替部１１を制御し、入力接点Ｙに接続させる。例えばＯＦＤＭ方式等のディジタルラジオ放送を受信中の場合には、ディジタル放送復調部８で符号誤り訂正処理の際に生成されるビットエラーレート（ＢＥＲ）のデータ値と判定基準値とを比較し、その判定基準に対して、ビットエラーレート（ＢＥＲ）のデータ値が良好な受信品質を示しているか否かを調べることで、受信品質の良否を判定する。【００３６】
次に、かかる構成を有する本受信装置の動作について説明する。 
入力される被変調波信号Ｓinから、狭帯域幅ＢＮの第１のＩＦフィルタ１と広帯域幅ＢＷの第２のＩＦフィルタ２が、アナログ被変調波成分Ｓａと全被変調波成分Ｓdaを夫々抽出し、全被変調波成分Ｓdaが周波数シフタ部３で偏倚被変調波成分Ｓhdaに周波数シフトされ、アナログ被変調波成分Ｓａと偏倚被変調波成分Ｓhdaが合成部４で合成されることで、合成被変調波信号Ｓhdaaが生成される。この合成被変調波信号ＳhdaaがＡＤＣ５で合成被変調波データＤhdaaにアナログディジタル変換されて第１のバンドパスフィルタ６と第２のバンドパスフィルタ７に供給され、ディジタル放送番組の被変調波成分Ｓｄであるディジタル被変調波成分データＤｄが抽出されてディジタル放送復調部８に供給されると共に、アナログ放送番組の被変調波成分Ｓａであるアナログ被変調波成分データＤａが抽出されてアナログ放送復調部９に供給される。【００３７】
そして、ディジタル放送復調部８が、ディジタル被変調波成分データＤｄに基づいて所定の復調処理を行うことで復調データＤＭｄを再生し、アナログ放送復調部９が、アナログ被変調波成分データＤａに基づいて所定の復調処理を行うことで復調データＤＭａを再生する。【００３８】
ここで、受信品質判定部１０が、ディジタル放送復調部８で生成される誤り検出データＥＲＲと判定基準とを逐一比較しつつ、ディジタル放送の受信品質の良否を判定し、受信品質が良好であると判定すると、切り替え制御信号ＳＷによって切替部１１を接点Ｘ側に接続させて、ディジタル放送番組の復調データＤＭｄを復調信号Ｄoutとして出力させ、一方、受信品質が悪化している判定すると、切り替え制御信号ＳＷによって切替部１１を接点Ｙ側に接続させて、アナログ放送番組の復調データＤＭａを復調信号Ｄoutとして出力させる。【００３９】
すなわち、受信品質判定部１０は、切替部１１を接点Ｘ側に接続させて、ディジタル放送番組の復調データＤＭｄが復調信号Ｄoutとして出力されているときに、受信品質が良好であると判定すると、復調データＤＭｄを継続して出力させる。また、ディジタル放送番組の復調データＤＭｄが復調信号Ｄoutとして出力されているときに、受信品質が悪化していると判定すると、切替部１１を接点Ｙ側に接続させて、アナログ放送番組の復調データＤＭａを復調信号Ｄoutとして出力させる。【００４０】
また、切替部１１を接点Ｙ側に接続させて、アナログ放送番組の復調データＤＭａが復調信号Ｄoutとして出力されているときに、受信品質が悪化していると判定すると、復調データＤＭａを継続して出力させる。また、アナログ放送番組の復調データＤＭａが復調信号Ｄoutとして出力されているときに、受信品質が良好であると判定すると、切替部１１を接点Ｘ側に接続させて、ディジタル放送番組の復調データＤＭｄを復調信号Ｄoutとして出力させる。【００４１】
以上に説明したように、本実施形態の受信装置によれば、第１，第２のＩＦフィルタ１，２と周波数シフタ部３と合成部４及びＡＤＣ５によって、周波数域の異なる偏倚被変調波成分Ｓhdaとアナログ被変調波成分Ｓａとを含んだ合成被変調波データＤhdaaを生成し、その合成被変調波データＤhdaaから第１のバンドパスフィルタ６によってディジタル被変調波成分データＤｄを抽出してディジタル放送復調部８に供給すると共に、その合成被変調波データＤhdaaから第２のバンドパスフィルタ７によってアナログ被変調波成分データＤａを抽出してアナログ放送復調部９に供給するので、放送を受信中、常に、ディジタル放送復調部８がディジタル被変調波成分データＤｄに基づいて復調処理を行い、且つ符号誤り訂正処理を行って誤り検出データＥＲＲを生成する。【００４２】
このため、受信品質が悪化して、アナログ放送番組の復調データＤＭａが出力されているときでも、受信品質判定部１０が誤り検出データＥＲＲに基づいて受信品質の良否判定処理を行うことができ、受信品質が良好であると判定すると、自動的に切替部１１を切り替え制御して、ディジタル放送番組の復調データＤＭｄを出力させるので、ユーザーに対して本来的に品質の良いディジタル放送番組を優先的に提供することができる。【００４３】
また、第１，第２のＩＦフィルタ１，２及び第１，第２のバンドパスフィルタ６，７の周波数特性を、受信品質判定部１０の判定結果に従って変化させる必要がないため、それらのフィルタを固定フィルタで形成することができる。このため、動作の安定した受信装置を実現することができると共に、回路構成の簡素化や小型化等を図ることができ、例えば半導体集積回路装置（ＩＣ、ＭＳＩなど）で形成すると優れた効果が得られる。【００４４】
また、以上に説明した本実施形態では、合成部４で合成被変調波信号Ｓhdaaを生成してからＡＤＣ５でアナログディジタル変換を行う構成となっているため、ディジタル信号処理による復調を行うディジタル放送復調部８とアナログ放送復調部９に、ディジタル変調波成分Ｓｄとアナログ変調波成分ＳａのデータＤｄとＤａを供給するための複数個のアナログディジタル変換器が不要である。このため、回路規模の小型化等を図ることができる。【００４５】
なお、図２（ａ）に示した受信装置の構成では、広帯域幅ＢＷの第２のＩＦフィルタ２で抽出される全被変調波成分Ｓdaを周波数シフタ部３で周波数シフトすることで、偏倚被変調波成分Ｓhdaを生成し、その偏倚被変調波成分Ｓhdaと狭帯域幅ＢＮの第１のＩＦフィルタ１で抽出されるアナログ変調波成分Ｓａとを合成部４で合成することで、合成被変調波信号Ｓhdaaを生成することとしているが、図２（ｂ）に示すように、第１のＩＦフィルタ１で抽出されるアナログ変調波成分Ｓａを周波数シフタ部３で周波数シフトすることで、偏倚被変調波成分Ｓhaaを生成し、その偏倚被変調波成分Ｓhaaと広帯域幅ＢＷの第２のＩＦフィルタ２で抽出される全被変調波成分Ｓdaとを合成部４で合成することで、合成被変調波信号Ｓhdaaを生成する構成としてもよい。【００４６】
そして、図２（ｂ）に示す構成とした場合には、合成被変調波信号Ｓhdaaに含まれるアナログ変調波成分Ｓａが周波数（ｆ1−ｆr）から（ｆ4−ｆr）の周波数帯域となり、偏倚被変調波成分Ｓhaaが周波数ｆ3からｆ4の周波数帯域となることから、第１のバンドパスフィルタ６の通過帯域幅を、周波数ｆ3からｆ1の周波数範囲と周波数ｆ2からｆ4の周波数範囲に決め、第２のバンドパスフィルタ７の通過帯域幅を、周波数（ｆ1−ｆr）から（ｆ4−ｆr）の周波数範囲に決めることで、図２（ａ）に示した受信装置の構成と同様の効果が得られる。【００４７】
また、周波数シフタ部３は、図２（ａ）の構成では、全被変調波成分Ｓdaを被変調波信号Ｓinの帯域より低い周波数域へ周波数シフトし、図２（ｂ）の構成ではアナログ変調波成分Ｓａを被変調波信号Ｓinの帯域より低い周波数域へ周波数シフトすることして説明したが、これらの全被変調波成分Ｓdaとアナログ変調波成分Ｓａを被変調波信号Ｓinの帯域より高い周波数域へ周波数シフト（いわゆるアップコンバート）させる構成としてもよい。そして、その周波数シフトによって周波数軸上の位置が偏倚することとなるディジタル変調波成分Ｓｄとアナログ変調波成分ＳａのデータＤｄとＤａを抽出するように、第１，第２のバンドパスフィルタ６，７の通過帯域幅を決めればよい。【００４８】
また、第１，第２のＩＦフィルタ１，２の一方の出力を周波数シフトさせるだけでなく、両方の出力を周波数シフトさせることで、合成被変調波信号Ｓhdaaに含まれることとなるディジタル変調波成分Ｓｄとアナログ変調波成分Ｓａが周波数軸上で重ならない位置関係となるようにし、それらのディジタル変調波成分Ｓｄとアナログ変調波成分ＳａのデータＤｄとＤａを抽出するように、第１，第２のバンドパスフィルタ６，７の通過帯域幅を決めればよい。【００４９】
要は、第１，第２のＩＦフィルタ１，２の少なくとも一方の出力を周波数シフトさせることで、合成被変調波信号Ｓhdaaに含まれることとなるディジタル変調波成分Ｓｄとアナログ変調波成分Ｓａが周波数軸上で重ならない位置関係となるようにし、それらのディジタル変調波成分Ｓｄとアナログ変調波成分ＳａのデータＤｄとＤａを抽出するように、第１，第２のバンドパスフィルタ６，７の通過帯域幅を決めればよい。【００５０】
このように、適宜に周波数シフトの態様を選択することで、例えばＡＤＣ５の動作周波数を設計使用等に従って最適に設定したり、また、第１，第２のＩＦフィルタ１，２や第１，第２のバンドパスフィルタ６，７の特性の最適化、また、受信装置の動作周波数の最適化等を行うことができる。【００５１】
また、被変調信号Ｓinを予めディジタルデータにアナログディジタル変換して第１，第２のＩＦフィルタ１，２に供給し、第１，第２のＩＦフィルタ１，２と周波数シフタ部３及び合成部４もデジタル信号処理を行う回路で形成してもよい。かかる構成とすると、合成部４の出力を合成被変調波データＳhdaaとすることができ、ＡＤＣ５を省略することができる。【００５２】
また、以上に説明した第１，第２のＩＦフィルタ１，２から切替部１１までの全ての構成要素をトランジスタ回路や半導体集積回路装置等のハードウェアで形成してもよいし、ハードウェアで形成した場合と同機能を発揮するコンピュータプログラムを作成して、そのコンピュータプログラムに基づいてＤＳＰ（ディジタルシグナルプロセッサ）やＭＰＵ（マイクロプロセッサ）を動作させることで、いわゆるファームウェアによるソフトウェア通信を行う構成としてもよい。
【実施例１】
【００５３】
次に、より具体的な実施例について図４を参照して説明する。なお、図４（ａ）は、本実施例の受信装置の構成を表したブロック図であり、図２（ａ）と同一又は相当する部分を同一符号で示している。図４（ｂ）はＡＤＣ５の構成を表したブロック図である。【００５４】
本実施例の受信装置は、ＩＢＯＣディジタルラジオ放送等の、アナログ変調された被変調波成分とディジタル変調された被変調波成分とを有する被変調波を復調するディジタルラジオ放送受信装置である。【００５５】
そして、図４（ａ）に示すように、この受信装置は、到来電波を受信するアンテナ１００と、アンテナ１００で受信される放送帯域内の高周波受信信号を選択して増幅するトラッキングフィルタ２００及びＲＦアンプ３００と、ＰＬＬ（Phase Locked Loop）回路とＶＣＯ（Voltage Controlled Oscillator）回路を有する局発信号発振器５００と、ＲＦアンプ４００から出力される高周波受信信号と局発信号発振器５００から出力される局発信号とを混合することで中間周波数の被変調信号（以下、「ＩＦ信号」と称する）Ｓinを生成して出力するミキサー４００とを有する他、第１，第２のＩＦフィルタ１，２と、乗算器３ａ、発振器３ｂ、加算器４、アナログディジタル変換器（ＡＤＣ）５、第１，第２のディジタルバンドパスフィルタ６，７、ディジタル放送復調部８、アナログ放送復調部９、受信品質判定部１０及び切替部１１を有して構成されている。【００５６】
第１のＩＦフィルタ１は、図３（ｂ）に示したように、中心周波数ｆoを中心として周波数ｆ1からｆ2までを通過帯域とする、狭帯域幅ＢＮのバンドパスフィルタで形成され、ＩＦ信号Ｓinからアナログ放送番組のアナログ被変調波成分Ｓａを抽出して出力する。【００５７】
第２のＩＦフィルタ２は、図３（ｃ）に示したように、中心周波数ｆoを中心として周波数ｆ3からｆ4までを通過帯域とする、広帯域幅ＢＷのバンドパスフィルタで形成され、ＩＦ信号Ｓinから、アナログ被変調波成分Ｓａとディジタル放送番組のディジタル被変調波成分Ｓｄとを含む全被変調波成分Ｓdaを抽出して出力する。【００５８】
乗算器３と発振器３ｂは、図２（ａ）に示した周波数シフタ部３に相当し、発振器３ｂが、周波数シフトのための所定周波数ｆrの発振信号を発生し、乗算器３ａが、その発振信号と全被変調波成分Ｓdaとを乗算することで、偏倚被変調波成分Ｓhdaを生成する。なお、本実施例では、上述の発振信号の周波数ｆrは、全被変調波成分Ｓdaをアナログ被変調波成分Ｓａより低い周波数域へダウンコンバートするための周波数に決められている。【００５９】
加算器４は、図２（ａ）に示した合成部４に相当し、偏倚被変調波成分Ｓhdaとアナログ被変調波成分Ｓａとを加算することで、合成被変調波信号Ｓhdaaを生成して出力する。
これにより、図３（ｄ）に示したように、アナログ被変調波成分Ｓａと偏倚被変調波成分Ｓhdaとが異なる周波数域に位置することとなる合成被変調波信号Ｓhdaaが生成される。【００６０】
ＡＤＣ５は、デルタシグマ方式のアナログデジタル変換器（ΔΣＡＤＣ）で形成され、合成被変調波信号Ｓhdaaを合成被変調波データＤhdaaにアナログディジタル変換して出力する。【００６１】
ここで、ＡＤＣ５は、図４（ｂ）に示すように、加算器５ａと、偏倚被変調波成分Ｓhdaの帯域に合わせられた通過帯域幅（周波数（ｆ3−ｆr）から（ｆ4−ｆr）の周波数範囲）を有するバンドパスフィルタＢＰＦ１と、アナログ被変調波成分Ｓａの帯域に合わせられた通過帯域幅（周波数ｆ1からｆ2の周波数範囲）を有するバンドパスフィルタＢＰＦ２と、量子化器５ｂ、減算器５ｃ及び積分器５ｄを有して構成され、合成被変調波信号Ｓhdaaの最大周波数（本実施例ではｆ2）より十分高い周波数に決められたオーバーサンプリング周波数で動作する。【００６２】
そして、加算器５ａが合成被変調波信号Ｓhdaaと積分器５ｄの出力とを加算し、その加算結果に対してバンドパスフィルタＢＰＦ１，ＢＰＦ２がフィルタリング処理を行って出力し、その出力に対し量子化器５ｂが所定段階の量子化を行うことで、合成被変調波データＤhdaaを生成して出力する。更に、減算器５ｃが、量子化器５ｂの入力と出力（合成被変調波データＤhdaa）の差分を演算し、その差分結果を積分器５ｄが積分（ディジタルアナログ変換）して加算器５ａに供給する。【００６３】
かかる構成のＡＤＣ５によると、バンドパスフィルタＢＰＦ１，ＢＰＦ２の通過帯域に合わせてノイズシェーピング特性が発揮され、Ｓ／Ｎの良好な合成被変調波データＤhdaaを生成することが可能となっている。【００６４】
第１のバンドパスフィルタは、図３（ｄ）に示した周波数（ｆ3−ｆr）から（ｆ1−ｆr）の周波数範囲と、周波数（ｆ2−ｆr）から（ｆ4−ｆr）の周波数範囲とを通過帯域幅とするディジタルバンドパスフィルタで形成され、合成被変調波データＤhdaaから、ディジタル被変調波成分データＤｄを抽出して出力する。【００６５】
第２のバンドパスフィルタは、図３（ｄ）に示した周波数ｆ1からｆ2までの周波数範囲を通過帯域幅とするディジタルバンドパスフィルタで形成され、合成被変調波データＤhdaaからアナログ被変調波成分データＤａを抽出して出力する。【００６６】
ディジタル放送復調部８は、ディジタル被変調波成分データＤdを入力し、受信中の放送の放送方式に準拠した復調処理を施すことで、ディジタル放送番組の復調データＤＭｄを再生して出力する。更に、ディジタル放送復調部８では、復調処理に際して誤り訂正の処理を行い、処理中のデータから受信品質の良否の程度を表す誤り検出データＥＲＲを生成する。例えば、ＯＦＤＭ方式等のディジタルラジオ放送を受信中の場合には、符号誤り訂正処理を行って、受信品質の良否の程度を表すビットエラーレート（ＢＥＲ）を検出し、誤り検出データＥＲＲとして出力する。【００６７】
アナログ放送復調部９は、アナログ被変調波成分データＤａを入力し、受信中の放送の放送方式に準拠した復調処理を施すことで、アナログ放送番組の復調データＤＭａを再生して出力する。【００６８】
切替部１１は、受信品質判定部１０からの切替え制御信号ＳＷに従って切り替えを行い、ディジタル放送復調部８側の入力接点Ｘに切り替わると、ディジタルラジオ放送番組の復調データＤＭｄを転送して出力し、アナログ放送復調部９の出力を遮断する。また、切替え制御信号ＳＷに従ってアナログ放送復調部９側の入力接点Ｙに切り替わると、アナログラジオ放送番組の復調データＤＭａを転送して出力し、アナログ放送復調部９の出力を遮断する。【００６９】
受信品質判定部１０は、上述の誤り検出データＥＲＲと所定の判定基準とを比較し、ディジタルラジオ放送の受信品質が良好か否か判定する。そして、受信品質が良好であると判定すると、切替え制御信号ＳＷによって切替部１１を制御し、入力接点Ｘに接続させる。また、受信品質が悪化したと判定すると、切替え制御信号ＳＷによって切替部１１を制御し、切替え制御信号ＳＷによって切替部１１を制御し、入力接点Ｙに接続させる。例えばＯＦＤＭ方式等のディジタルラジオ放送を受信中の場合には、ディジタル放送復調部８で符号誤り訂正処理の際に生成されるビットエラーレート（ＢＥＲ）のデータ値と判定基準値とを比較し、その判定基準に対して、ビットエラーレート（ＢＥＲ）のデータ値が良好な受信品質を示しているか否かを調べることで、受信品質の良否を判定する。【００７０】
次に、かかる構成を有する本実施例の受信装置の動作について説明する。【００７１】
入力される被変調波信号Ｓinから、狭帯域幅ＢＮの第１のＩＦフィルタ１と広帯域幅ＢＷの第２のＩＦフィルタ２が、アナログ被変調波成分Ｓａと全被変調波成分Ｓdaを夫々抽出し、全被変調波成分Ｓdaと周波数ｆrの発振信号とが乗算器３ａで乗算されることで、周波数ｆr分だけ周波数シフトされた偏倚被変調波成分Ｓhdaが生成され、アナログ被変調波成分Ｓａと偏倚被変調波成分Ｓhdaが加算器４で加算されることで、合成被変調波信号Ｓhdaaが生成される。【００７２】
この合成被変調波信号Ｓhdaaが、ノイズシェーピング特性を発揮するＡＤＣ５で合成被変調波データＤhdaaにアナログディジタル変換されて第１のバンドパスフィルタ６と第２のバンドパスフィルタ７に供給され、ディジタル放送番組の被変調波成分Ｓｄであるディジタル被変調波成分データＤｄが抽出されてディジタル放送復調部８に供給されると共に、アナログ放送番組の被変調波成分Ｓａであるアナログ被変調波成分データＤａが抽出されてアナログ放送復調部９に供給される。【００７３】
そして、ディジタル放送復調部８が、ディジタル被変調波成分データＤｄに基づいて所定の復調処理を行うことで復調データＤＭｄを再生し、アナログ放送復調部９が、アナログ被変調波成分データＤａに基づいて所定の復調処理を行うことで復調データＤＭａを再生する。【００７４】
ここで、受信品質判定部１０が、ディジタル放送復調部８で生成される誤り検出データＥＲＲと判定基準とを逐一比較しつつ、ディジタル放送の受信品質の良否を判定し、受信品質が良好であると判定すると、切り替え制御信号ＳＷによって切替部１１を接点Ｘ側に接続させて、ディジタル放送番組の復調データＤＭｄを復調信号Ｄoutとして出力させ、一方、受信品質が悪化している判定すると、切り替え制御信号ＳＷによって切替部１１を接点Ｙ側に接続させて、アナログ放送番組の復調データＤＭａを復調信号Ｄoutとして出力させる。【００７５】
すなわち、受信品質判定部１０は、切替部１１を接点Ｘ側に接続させて、ディジタル放送番組の復調データＤＭｄが復調信号Ｄoutとして出力されているときに、受信品質が良好であると判定すると、復調データＤＭｄを継続して出力させる。また、ディジタル放送番組の復調データＤＭｄが復調信号Ｄoutとして出力されているときに、受信品質が悪化していると判定すると、切替部１１を接点Ｙ側に接続させて、アナログ放送番組の復調データＤＭａを復調信号Ｄoutとして出力させる。【００７６】
また、切替部１１を接点Ｙ側に接続させて、アナログ放送番組の復調データＤＭａが復調信号Ｄoutとして出力されているときに、受信品質が悪化していると判定すると、復調データＤＭａを継続して出力させる。また、アナログ放送番組の復調データＤＭａが復調信号Ｄoutとして出力されているときに、受信品質が良好であると判定すると、切替部１１を接点Ｘ側に接続させて、ディジタル放送番組の復調データＤＭｄを復調信号Ｄoutとして出力させる。【００７７】
以上に説明したように、本実施例の受信装置によれば、第１，第２のＩＦフィルタ１，２と乗算器３ａと発振器３ｂと加算器４及びＡＤＣ５によって、周波数域の異なる偏倚被変調波成分Ｓhdaとアナログ被変調波成分Ｓａとを含んだ合成被変調波データＤhdaaを生成し、その合成被変調波データＤhdaaから第１のバンドパスフィルタ６によってディジタル被変調波成分データＤｄを抽出してディジタル放送復調部８に供給すると共に、その合成被変調波データＤhdaaから第２のバンドパスフィルタ７によってアナログ被変調波成分データＤａを抽出してアナログ放送復調部９に供給するので、放送を受信中、常に、ディジタル放送復調部８がディジタル被変調波成分データＤｄに基づいて復調処理を行い、且つ符号誤り訂正処理を行って誤り検出データＥＲＲを生成する。【００７８】
このため、受信品質が悪化して、アナログ放送番組の復調データＤＭａが出力されているときでも、受信品質判定部１０が誤り検出データＥＲＲに基づいて受信品質の良否判定処理を行うことができ、受信品質が良好であると判定すると、自動的に切替部１１を切り替え制御して、ディジタル放送番組の復調データＤＭｄを出力させるので、ユーザーに対して本来的に品質の良いディジタル放送番組を優先的に提供することができる。【００７９】
また、ＡＤＣ５が、ノイズシェーピング特性を発揮するΔΣＡＤＣによって形成されているので、Ｓ／Ｎの良好な復調信号Ｄoutを再生することができる。【００８０】
また、第１，第２のＩＦフィルタ１，２及び第１，第２のバンドパスフィルタ６，７の周波数特性を、受信品質判定部１０の判定結果に従って変化させる必要がないため、それらのフィルタを固定フィルタで形成することができる。このため、動作の安定した受信装置を実現することができると共に、回路構成の簡素化や小型化等を図ることができ、例えば半導体集積回路装置（ＩＣ、ＭＳＩなど）で形成すると優れた効果が得られる。【００８１】
また、１個のＡＤＣ５によって、偏倚被変調波成分Ｓhdaとアナログ被変調波成分Ｓａとが含まれている合成被変調波信号Ｓhdaaを合成被変調波データＤhdaaにアナログディジタル変換するので、回路規模の小型化等を図ることができる。【００８２】
なお、以上に説明した第１，第２のＩＦフィルタ１，２から切替部１１までの全ての構成要素をトランジスタ回路や半導体集積回路装置等のハードウェアで形成してもよいし、ハードウェアで形成した場合と同機能を発揮するコンピュータプログラムを作成して、そのコンピュータプログラムに基づいてＤＳＰ（ディジタルシグナルプロセッサ）やＭＰＵ（マイクロプロセッサ）を動作させることで、いわゆるソフトウェア通信を行う構成としてもよい。
【図１】
2007066551.tif 000003
【図２】
2007066551.tif 000004
【図３】
2007066551.tif 000005
【図４】
2007066551.tif 000006
【国際調査報告】
2007066551.tif 000007
2007066551.tif 000008